(57)【要約】【課題】  指圧治療時に、患者に対して威圧感を抱かせず、かつ装着容易な小型のプロテクタを提供する。【解決手段】  プロテクタ1は、一枚の革を裁断したものであり、周り全周を滑り止めとしてかがり縫いにより樹脂糸３が縫い込まれ、凹凸が付けられている。プロテクタ１の表側には面ファスナ５が縫着されており、さらに右側には孔２が開けられている。プロテクタ１の裏側には、面ファスナ４が縫着されており、面ファスナ５と雌雄の関係で接合する。孔２が面ファスナ５よりもさらに右側に設けられている。【選択図】図１
2011063890.tif 000002
【特許請求の範囲】
【請求項１】
拇指の基節骨の末節骨側端部周囲を取り巻く弓状の第１の側辺と、前記第１側辺の前後両端から前記基節骨の長さ方向に向かって伸びる前側辺と後側辺と、前記基節骨と中手骨との間にある第１間節位置よりも前記基節骨側から中手骨側に向かい両側が弓状に伸びた第２の側辺とに囲まれた外形とされた基材と、
前記前側辺近傍の前記基材表側に固定された第１の接合部材と、
前記後端辺近傍の前記基材裏側に固定され、前記第１の接合部材と雌雄の関係で接合する第２の接合部材と、
前記基材の周囲に配置された滑止部材とを有し、
前記第２の側辺は、その一端が中手骨側に伸びたのちに第１間接側に湾曲して前記後側辺に連続し、他端は中手骨側に伸びてから第１間接側に戻り状に湾曲して前記前側辺に連続するものであり、
前記第２側辺が第１間接側に戻り状に湾曲された位置であって、前記第１の接合部材よりもさらに前側に、指により中手骨側に押さえつけるために利用される固定部を有することを特徴とするプロテクタ。
【請求項２】
請求項１のプロテクタにおいて、前記基材の周囲に配置された滑止部材は、前記周囲に糸をかがり縫いしたものであることを特徴とするプロテクタ。
【請求項３】
請求項１及び２のいずれかのプロテクタにおいて、指により中手骨側に押さえつけるために利用される前記固定部は、前記基材に設けられた孔の周辺部位であることを特徴とするプロテクタ。
【発明の詳細な説明】
【技術分野】
【０００１】
本発明は、指圧治療に使用する拇指の保護装置に関する。
【背景技術】
【０００２】
指圧法とは徒手で拇指、手掌等を用い、体表の一定部位を押圧して生体の変調を矯正し健康の維持増進をはかり、または特定の疾病治癒に寄与する施術である。指圧治療においては、経絡上に点在する経穴に持続的な圧を加えて筋肉を解きほぐし、血液の循環を改善させる。療法士は拇指に体重圧をかけて施術を行うため、これを痛めることが多く、長時間連続して治療することは困難である。
【０００３】
従来、療法士の拇指を保護するために、例えば特許文献１に示されるような指関節プロテクタが知られている。この指関節プロテクタは、環状体と長尺体とこれらの間に三角体を具備し、拇指を環状体に貫通させた後に、長尺体を手首に巻きつけ、さらに長尺体を拇指に巻きつけて装着する。このプロテクタは、手の甲の側から拇指を支えることにより、拇指を対象箇所に押圧したときに、拇指と人差し指の股から手首にかけての部分に張力が生じ、この張力が拇指の第１関節の左右の動揺を抑えることができる。
【先行技術文献】
【特許文献】
【０００４】
【特許文献１】特開２００５−４２２７６号公報
【特許文献２】特開平８−１９６５６２号公報
【発明の概要】
【発明が解決しようとする課題】
【０００５】
特許文献１による従来技術のプロテクタは、施術の際に、拇指の第１中手骨と基節骨とを結ぶ関節（中手指節関節、以下、第１関節という）が左右に動揺することを抑え、拇指の第１中手指節関節を保護する。
【０００６】
しかし、このプロテクタは、拇指を手首により固定するものであるため、プロテクタの外形が大きく、患者に対して威圧感を抱かせる。また、その装着にも時間を要するという問題があった。
【０００７】
本発明は、患者に対して威圧感を抱かせず、かつ装着容易な小型のプロテクタを提供することを目的とする。
【０００８】
本発明は、特許文献１のように手の甲の側から拇指を引き付けて固定するのではなく、簡単な構造で掌側から第１関節を固定する。尚、特許文献２には、施術用ではないが、指の引き締めに利用できるサポータが開示されている。このサポータは、手首に支持部を巻き付けて、これを支点として指の包囲を手の甲側から引き締めるものである。このサポータにおいても、特許文献１と同様に大型のものとなってしまい、また装着にも時間を要する。
【課題を解決するための手段】
【０００９】
プロテクタの装着に際しては、片方の手により装着を行わなければならないため、特許文献１及び２のように、まず手首に支持部を巻き付けて固定しておいて、これを支点に片方の手でサポータを引き締めることが行われる。このため、プロテクタの外形が大きくならざるを得ない。
【００１０】
本発明の指関節プロテクタは、拇指の基節骨の末節骨側端部周囲を取り巻く弓状の第１の側辺と、前記第１側辺の前後両端から前記基節骨の長さ方向に向かって伸びる前側辺と後側辺と、前記基節骨と中手骨との間にある第１間節位置よりも前記基節骨側から中手骨側に向かい両側が弓状に伸びた第２の側辺とに囲まれた外形とされた基材と、前記前側辺近傍の前記基材表側に固定された第１の接合部材と、前記後端辺近傍の前記基材裏側に固定され、前記第１の接合部材と雌雄の関係で接合する第２の接合部材と、前記基材の周囲に配置された滑止部材とを有し、前記第２の側辺は、その一端が中手骨側に伸びたのちに第１間接側に湾曲して前記後側辺に連続し、他端は中手骨側に伸びてから第１間接側に戻り状に湾曲して前記前側辺に連続するものであり、前記第２側辺が第１間接側に戻り状に湾曲された位置であって、前記第１の接合部材よりもさらに前側に、指により中手骨側に押さえつけるために利用される滑り止め固定部を有する。
【００１１】
本発明のプロテクタは滑り止め固定部を、巻き付ける側の手で固定するため、もう片方の手で力を込めて巻き付けることができ、かつ１回の巻き付け動作で緊張状に簡単に巻き付けることができる。また、拇指を一周する程度の小型のものであるため、患者へ威圧感を抱かせることがない。
【図面の簡単な説明】
【００１２】
【図１】プロテクタ1の平面図である。
【図２】プロテクタ１の使用方法を示す図である。
【図３】プロテクタ１の外形を説明する図である。
【図４】プロテクタ１の各構成部位を説明する図である。
【図５】プロテクタ1の作用を示す図である。
【発明を実施するための形態】
【００１３】
以下、図面を参照して実施例のプロテクタ１を説明する。
図１は、本実施例のプロテクタ１の平面図である。プロテクタ1は、一枚の革を裁断した基材６の周り全周を滑り止めとしてかがり縫いにより糸３（樹脂糸）が縫い込まれ、凹凸が付けられている。図１Ａは、プロテクタ1の表側であり、革の表地側でもある。図中右側に接合部材としての面ファスナ５が縫着されており、さらに右側には孔２が開けられている。図Ｂは、プロテクタ１の裏側であり、革の裏地側でもある。図中左側には、面ファスナ４が縫着されており、面ファスナ５と雌雄の関係で接合する。孔２が面ファスナ５よりもさらに右側に設けられている。
【００１４】
図２は、プロテクタ１を拇指に装着する様子を示す図である。図２Ａにおいて、プロテクタ１の孔２が設けられている側を掌側の拇指の中手骨の上に置く。その際、孔２の位置が生命線上になるように配置し、中指で孔２を押さえる。孔２の中に中指の先端が入り込み、孔２の周囲により中指の滑りが完全に止められる。次に、図２Ｂに示すように、プロテクタ１の反対側端部を、もう片方の手で持ち、拇指の背面から、基節骨の位置に巻きつけ、強く引っ張りながら面ファスナ４、５同士を接合させる。その間、中指で押さえられた孔２周囲が指の固定部となり、これが支点として働き、プロテクタ１は緊張状に拇指を包囲する（図２Ｃ）。中指を外すことによりプロテクタ１の装着は完了する。中指で、孔２周囲を支点としてプロテクタ１を固定できるので、片方だけの手でプロテクタ１をきつく緊張状に簡単に巻くことができる。
【００１５】
図３は、裏側から見たプロテクタ１の形状（基材６の外形形状でもある）と、拇指の関節との関係を示した図である。図中、第１関節に相当する位置を２点破線Ｄ１で、末節骨と基節骨との間の関節（指節間関節、以下、第２関節という）の位置を２点破線Ｄ２で示してある。
【００１６】
プロテクタ１の外形を説明する都合上、図中左側を第１側辺１ａ、図中上側を前側辺１ｂ、後ろ側を後側辺１ｃ、及びそれ以外の第２側辺１ｄと称することにする。これらの各辺は、滑らかに結ばれている。また、説明の都合上、図３の上側をプロテクタ１の前側とし、下側を後側とする。
【００１７】
第１側辺１ａは、拇指に巻きつけたときに、第1関節位置Ｄ１と第２関節位置Ｄ２との間で、第２関節位置Ｄ２に掛からずに基節骨の範囲内に位置する側辺である。拇指の基節骨は、第２関節部側において膨らむ形状となっているので、第１側辺１ａは、この膨らみの裾野で関節周囲を巻きつける形状となっている。具体的には、基節骨部位（関節部側膨らみを除く）の拇指を先細り状の円錐台と見立てると、円錐台を展開したときの側面上辺に沿って弧を描く形状である。基節骨の関節部側膨らみの裾野を巻きつけるため、この部分に施された樹脂糸３の凹凸が第２関節手前の肉部に食い込み、プロテクタを安定させる。
【００１８】
前側辺１ｂ及び後側辺１ｃは、上記のように円錐台と見立てたときに、円錐台を展開した際の側面の切断辺Ｅ１、Ｅ２に沿い第１関節位置Ｄ１までの辺である。また、第２側辺１ｄは、第１側辺１ａの中央箇所に対応する位置Ｐから両側に弓状に中手骨側に伸び、前後の変曲位置Ｑ１、Ｑ２から第１間接位置Ｄ１側に湾曲して第１間接位置Ｅ１で前側辺１ｂ、後側辺１ｃに連続するものである。特に、プロテクタ１の前側（図面上側）では、第２側辺１ｄは前記変曲位置Ｑ１を超えて、後ろ側よりもさらに中手骨側に伸びてから、戻り状に湾曲している。第２側辺１ｄは、位置Ｐでは第１関節位置Ｄ１よりも基節骨側に入り、その前後で中手骨の上側に位置するものとなる。位置Ｐは、ちょうど第１関節を折り曲げたときの手の甲側の最も高くなる部分に相当する。基節骨の第１関節側も膨らむ形状となっているため、位置Ｐで第１関節位置Ｄ１よりも基節骨側に入ることにより、この部分にかがり縫いされた樹脂糸３の凹凸が、膨らみ形状の裾野で基節骨上の肉部に食い込み、プロテクタを安定させる。
【００１９】
尚、図中、Ｏは、基節骨位置の拇指を円錐台と見立てたときの頂点の位置である。また、面ファスナ４、５のほぼ中央を、第１関節位置Ｄ１が横切っている。図中、破線１’は、プロテクタ１を拇指に巻きつけて、面ファスナ４、５同士を接合した際の位置関係を示している。このように、第１関節を挟んだ前後を面ファスナ４、５自体が押し付けることになる。破線Ｃは、孔２、面ファスナ５、面ファスナ４を結ぶ線である。孔２を前側として、面ファスナ５、面ファスナ４の順に配列されている。
【００２０】
図４に示すように、プロテクタ１は、大きく４つの部位に分類できる。まず、第１側辺１ａ、前後側辺１ｂ、１ｃ、及び第１関節の位置Ｄ１で囲まれた部位１０（図中、中程度の濃淡箇所）である。この部位１０は、拇指への巻付帯として機能する。後側において、第２側辺１ｄと第１関節の位置Ｄ１で囲まれた部位が第1固定部位１１（薄い濃淡箇所）である。前側において、第２側辺１dと第１関節の位置Ｄ１で囲まれた部位は、２つに区分でき、第１関節の位置Ｄ１側の第２固定部位１２（薄い濃淡箇所）と、孔２側の支持部位１３（濃い濃淡箇所）である。第１固定部位１１と第２固定部位１２は、拇指にプロテクタ１を巻きつけたときに中手骨上で互いに重なり合う部位である。また、支持部位１３は、拇指にプロテクタ１を巻きつける際に中指により固定される支点となる部位である。支持部位１３が第２固定部１２から掌側でさらに中手骨上に伸びるように構成されているので、第１固定部１１が第２固定部１２の上に被さった際に、第１固定部１１の周囲が直接的に掌に当たることが無い。
【００２１】
図５は、拇指にプロテクタを装着した状態を示す図である。図中、Ｂ１は末節骨、Ｂ２は基節骨、Ｂ３は中手骨を示し、Ｔ１は屈筋（図は長母指屈筋を示す）、Ｓ１〜Ｓ３は鞘である。プロテクタ１は破線にて示してある。
【００２２】
プロテクタ１が拇指に緊張状に巻きつけられた状態では、プロテクタ1の面ファスナ４、５同士及び、第１、第２固定部１１、１２が重なり合い厚さを増して第１関節を固定する。この際、長母指屈筋、短母指屈筋等の中手骨の掌側にある筋肉が圧迫されて、容易に動かせない状態となる。拇指を折り曲げようとすればするほど、固定部１１、１２が中手骨の掌側にある筋肉を押し付けるため、拇指の第１関節は自らの意思では動かせない状態となる。拇指以外の指の関節とその直下の筋肉部分に圧力をかけても、指の曲げにはさほど影響がない。しかしながら、拇指の第１関節及び中手骨の掌部分の筋肉を押さえ込んでしまうと、拇指の第１関節は容易に動かせず、プロテクタ１の巻きつけにより棒状化する。このように、面ファスナ４、５の接続を外さない限りにおいてはプロテクタ１が、拇指の関節の動きで弛緩することがなくなる。
【００２３】
以上のように、本実施例では、プロテクタ１を巻き付ける手の側で、プロテクタ１の孔２周辺を固定するため、もう片方の手で力を込めて巻き付けることができ、かつ１回の巻き付け動作で緊張状に簡単に巻き付けることができる。また、プロテクタ１は、拇指を一周する程度の小型のものであるため、患者へ威圧感を抱かせることがない。
【００２４】
さらに、プロテクタ１を装着した療法士が、拇指に体重圧をかけて施術を行うと、基節骨は反りの力が間欠的に加えられることになるが、本実施例によるプロテクタ1により、基節骨の周り筋肉が固定化されるため基節骨への負荷が低減され、疲労骨折しにくくなる。また、第１関節は内側からプロテクタ１により固定されるため、関節の動揺が低減される。
【００２５】
上記実施例においては、プロテクタ１の基材として革を利用したが、人工革、布、不編布、或いはゴム、シリコン樹脂等の柔軟材でも良い。また、孔２を人差し指による固定用に開孔したが、滑り止めを貼着しても良い。さらに、周囲を樹脂糸３でかがり縫いする代わりに、滑り止めをプロテクタ１の基材の周囲に設けても良い。
【符号の説明】
【００２６】
１…プロテクタ
２…孔
３…樹脂糸
４、５…面ファスナ
６…基材
１０…巻き付け部
１１…第１固定部
１２…第２固定部
１３…支持部
【図１】
2011063890.tif 000003
【図２】
2011063890.tif 000004
【図３】
2011063890.tif 000005
【図４】
2011063890.tif 000006
【図５】
2011063890.tif 000007